【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
希釈ポリシロキサン含有ポリマーの製造方法であって、
ｉ）オルガノポリシロキサン希釈材料及び／又は有機系の希釈材料である希釈材料、適当な触媒、並びに任意に末端封鎖剤の存在下で、縮合性基を含むシロキサン含有モノマー及び／又はオリゴマーの重縮合によってポリシロキサン含有ポリマーを調製する工程と、
ｉｉ）必要であれば、前記重合プロセスを失活させる工程と
を含み、前記希釈材料が、得られる希釈オルガノポリシロキサン中に実質的に保持される、希釈ポリシロキサン含有ポリマーの製造方法。
【請求項２】
前記重合生成物が、一般式
Ｘ３−Ａ−Ｘ１
（式中、Ｘ３及びＸ１は独立して、末端がヒドロキシル基又は加水分解性基であるシロキサン基から選択され、Ａはシロキサン含有ポリマー鎖であり、前記ヒドロキシル末端基又は加水分解性基であるＸ３又はＸ１は、−Ｓｉ（ＯＨ）３、−（Ｒａ）Ｓｉ（ＯＨ）２、−（Ｒａ）２ＳｉＯＨ、−ＲａＳｉ（ＯＲｂ）２、−Ｓｉ（ＯＲｂ）３、−Ｒａ２ＳｉＯＲｂ及び−Ｒａ２Ｓｉ−Ｒｃ−ＳｉＲｄｐ（ＯＲｂ）３−ｐからなる群から選択され、ここで各Ｒａは独立して、一価のヒドロカルビル基、例えばアルキル基、特に１〜８個の炭素原子を有するアルキル基を表し、各Ｒｂ基及び各Ｒｄ基は独立してアルキル基又はアルコキシ基であり、ここで、該アルキル基は適切には６個までの炭素原子を有し、Ｒｃは、６個までのケイ素原子を有する１つ又は複数のシロキサンスペーサーが介在し得る二価の炭化水素基であり、ｐは０、１又は２の値を有する）
を有することを特徴とする請求項１に記載の希釈ポリシロキサン含有ポリマーの製造方法。
【請求項３】
前記重合プロセスが重縮合の重合プロセスであり、
（ｉ）一般式Ｒ２０ＳＯ３Ｈ（式中、Ｒ２０はアルキル基、アリール又はアルカリル基を表す）の触媒、
（ｉｉ）ハロゲン化ホスホニトリル触媒、及び
（ｉｉｉ）ハロゲン化ホスホニトリルイオン系触媒、
（ｉｖ）チタネート及び／又はジルコネート、
（ｖ）プロトン酸、
（ｖｉ）ルイス酸、
（ｖｉｉ）有機及び無機塩基、
（ｖｉｉｉ）ボロネート、並びに
（ｉｘ）カルボランを含むボラン
からなる群から選択される縮合触媒の存在下で、加水分解性末端基を有する線状及び／又は分枝状オルガノポリシロキサンが重合されることを特徴とする請求項１に記載の希釈ポリシロキサン含有ポリマーの製造方法。
【請求項４】
前記触媒が、モノ／ジ及びトリアルカノールアミン又はアルミナシリケートゼオライトによって失活されるドデシルベンゼンスルホン酸であることを特徴とする請求項３に記載の希釈ポリシロキサン含有ポリマーの製造方法。
【請求項５】
前記希釈剤が、増量剤又は可塑剤である請求項１又は２に記載の希釈ポリシロキサン含有ポリマーの製造方法。
【請求項６】
前記希釈剤が、トリアルキルシリル末端ポリジメチルシロキサン、ポリイソブチレン（ＰＩＢ）、リン酸エステル、ポリアルキルベンゼン、脂肪族モノカルボン酸エステルの線状及び／又は分枝状アルキルベンゼンからなる群の１つ又は複数から選択されることを特徴とする請求項１又は２に記載の希釈ポリシロキサン含有ポリマーの製造方法。
【請求項７】
前記希釈剤が、１２〜２５個の炭素原子を含有する線状又は分枝状アルケン又はこれらの混合物である線状又は分枝状モノ不飽和炭化水素、並びに／又は線状（ｎ−パラフィン系）鉱油、分枝状（イソパラフィン系）鉱油及び／又は環状（ナフテン系）鉱油及びこれらの混合物を含む鉱油留分を含む群の１つ又は複数から選択されることを特徴とする請求項１又は２に記載の希釈ポリシロキサン含有ポリマーの製造方法。
【請求項８】
前記希釈剤が、モノマー／オリゴマー及びポリマーと少なくとも実質的に混和性であることを特徴とする請求項１又は２に記載の希釈ポリシロキサン含有ポリマーの製造方法。
【請求項９】
請求項１に記載の方法によって得ることができる希釈オルガノポリシロキサンポリマー。
【請求項１０】
前記ポリマーが、一般式
Ｘ３−Ａ−Ｘ１
（式中、Ｘ３及びＸ１は、−Ｓｉ（ＯＨ）３、−（Ｒａ）Ｓｉ（ＯＨ）２、−（Ｒａ）２ＳｉＯＨ、−ＲａＳｉ（ＯＲｂ）２、−Ｓｉ（ＯＲｂ）３、−Ｒａ２ＳｉＯＲｂ及び−Ｒａ２Ｓｉ−Ｒｃ−ＳｉＲｄｐ（ＯＲｂ）３−ｐからなる群から選択される、末端がヒドロキシル基又は加水分解性基であるシリル基から独立して選択され、各Ｒａは独立して一価のヒドロカルビル基を表し、各Ｒｂ基及び各Ｒｄ基は独立してアルキル又はアルコキシ基（アルキル基は適宜６個までの炭素原子を有する）であり、Ｒｃは、６個までのケイ素原子を有する１つ又は複数のシロキサンスペーサーが介在し得る二価の炭化水素基であり、ｐは０、１又は２の値を有し、Ａはシロキサン含有分子鎖である）
を有することを特徴とする請求項９に記載の希釈オルガノポリシロキサンポリマー。
【請求項１１】
請求項１に記載の方法によって得ることができる希釈オルガノポリシロキサンポリマーを、前記オルガノポリシロキサンポリマーと反応性を有する適当な架橋剤、適当な縮合触媒、及び任意に充填剤と混合する工程を含む、エラストマー体に硬化することができる湿分硬化性組成物の製造方法。
【請求項１２】
前記架橋剤が、アシルオキシ基、ケトキシミノ基を含有する１つ又は複数のシラン又はシロキサンであり、前記触媒がスズ触媒であることを特徴とする請求項１１に記載のエラストマー体に硬化することができる湿分硬化性組成物の製造方法。
【請求項１３】
前記架橋剤が、アルコキシ基及びアルケニルオキシ基を含有する１つ又は複数のシラン又はシロキサンであり、前記触媒が、チタネート若しくはジルコネート、又はキレート化チタネート若しくはキレート化ジルコネートであることを特徴とする請求項１１に記載のエラストマー体に硬化することができる湿分硬化性組成物の製造方法。
【請求項１４】
前記充填剤が、高表面積ヒュームドシリカ、沈降シリカ及び沈降炭酸カルシウムからなる群から選択される１つ又は複数の微粉化強化充填剤、並びに／又は破砕石英、珪藻土、硫酸バリウム、酸化鉄、二酸化チタン、カーボンブラック、タルク及びウォラストナイトからなる群から選択される増量充填剤を含むことを特徴とする請求項１１に記載のエラストマー体に硬化することができる湿分硬化性組成物の製造方法。
【請求項１５】
エラストマー体に硬化することができる湿分硬化性組成物であって、
ａ．ケイ素に結合した２つ以上のヒドロキシル基又は加水分解性基を有する希釈オルガノポリシロキサンと、
ｂ．ポリマー中のヒドロキシル基又は加水分解性基と反応性を有する基を１分子当たり少なくとも２つ有するシロキサン及び／又はシラン架橋剤と、
ｃ．１つ又は複数の充填剤と、
ｄ．適当な硬化触媒と
を含む、湿分硬化性組成物。
【請求項１６】
前記希釈オルガノポリシロキサンが、請求項１〜８のいずれか１項に記載の方法に従って製造されることを特徴とする請求項１５に記載の湿分硬化性組成物。
【請求項１７】
硬化保護コーティングでコーティングされた表面を有する硬化シリコーンエラストマーの製造方法であって、
硬化エラストマー表面が得られ且つ均質なつや消し面が現れるまで、請求項１６に記載の組成物を水分に曝すこと、その後、周囲条件で硬化可能な水系保護コーティング組成物を、前記硬化エラストマー表面の少なくとも一部に塗布すること（ここで、該保護コーティング組成物は塗布された表面を湿潤させ且つ本質的に欠陥のないフィルムを生じる）、及びその後該保護コーティング組成物を硬化させることを含む、硬化シリコーンエラストマーの製造方法。
【請求項１８】
請求項１又は１５に記載の硬化組成物を含み、７００％よりも大きい破断伸びを有する硬化シーラント。
【請求項１９】
エラストマー体に硬化することができる湿分硬化性組成物であって、
該組成物は、請求項１又は２に記載の方法に従って製造された希釈オルガノポリシロキサンポリマーを、該オルガノポリシロキサンポリマーと反応性を有する適当な架橋剤、適当な縮合触媒、任意で充填剤と配合して、一液型又は二液型のオルガノポリシロキサンシーラント組成物を形成することによって得ることができる、湿分硬化性組成物。
【請求項２０】
２つのユニット間の空間をシールする方法であって、請求項９、１５又は１６に記載の組成物を該空間に適用すること、及び該組成物を硬化させるか又は該組成物が硬化できるようにすることを含む、２つのユニット間の空間をシールする方法。
【請求項２１】
請求項１５又は１６に記載の組成物を含むシーラント。
【請求項２２】
請求項９、１５又は１６に記載の組成物から得られるシーラントを含むガラス構造体又は建物ユニット。
【請求項２３】
シーラントにおける、請求項１又は２に記載の方法に従って調製された増量ポリマーの使用。
【請求項２４】
請求項１に記載の方法に従って得ることができる希釈ポリマーを含む組成物であって、前記希釈剤が、４ｍＰａ・ｓ〜１００ｍＰａ・ｓの粘度を有する揮発性又は不揮発性の低分子量オルガノポリシロキサンベースの流体を含み、任意で、追加の希釈剤が、重合完了後に該組成物に添加される４ｍＰａ・ｓ〜１００ｍＰａ・ｓの粘度を有する前記揮発性又は不揮発性の低分子量オルガノポリシロキサンベースの流体を含むことを特徴とする組成物。
【請求項２５】
界面活性剤、洗剤、増粘剤、香料、着色剤、電解質、ｐＨ調節成分、発泡促進剤及び泡安定剤、抗菌剤、酸化防止剤、紫外線吸収剤及び薬剤染料、還元剤、中和剤、並びに防腐剤の１つ又は複数をさらに含む請求項２４に記載の組成物。
【請求項２６】
医薬用組成物、医療用組成物及び／又は治療用組成物における、請求項２４又は２５に記載の組成物の使用。
【請求項２７】
鎮痛剤、麻酔剤、抗座瘡剤、抗菌剤、抗酵母剤、抗真菌剤、抗ウイルス剤、ふけ防止剤、抗皮膚炎剤、鎮痒剤、制吐剤、乗り物酔い防止剤、抗炎症剤、抗過度角質溶解剤、乾燥皮膚防止剤、制汗剤、抗乾癬剤、抗脂漏剤、ヘアコンディショニング、ヘアトリートメント、老化防止剤、しわ防止剤、抗喘息剤、気管支拡張剤、日焼け止め、抗ヒスタミン剤、美白剤、脱色素剤、創傷治癒剤、ビタミン類、コルチコステロイド類、色素沈着剤又はホルモン類の用途の１つ又は複数のための医薬品、医療品及び／又は治療薬の製造における、請求項２４又は２５に記載の組成物の使用。
【請求項２８】
請求項２４に記載の組成物と、生理学的及び／又は薬学的に許容可能なキャリアとを含む医薬用組成物。
【請求項２９】
軟膏、クリーム、ゲル、ペースト、フォーム、又はエアロゾルを含む、局所適用のための請求項２８に記載の医薬用組成物。
【請求項３０】
請求項２４又は２５に記載の組成物を含むヘアケア製品。
【請求項３１】
シリコーンゴム組成物の製造方法であって、
請求項１に記載の希釈オルガノポリシロキサン含有ポリマーを調製すると共に、任意で、アルケニル基、縮合性基、シリル−ヒドリド又はトリメチルシリル含有末端封鎖剤及びシロキサンベースの希釈剤を調製する工程と、
得られる希釈オルガノポリシロキサンポリマーを、
１つ又は複数の強化充填剤及び／又は非強化充填剤と、
硬化剤と、
任意で、レオロジー調整剤、顔料、着色剤、粘着防止剤、接着促進剤、発泡剤、難燃剤及び乾燥剤の１つ又は複数の群から選択される添加剤と配合する工程と
を含む、シリコーンゴム組成物の製造方法。
【請求項３２】
前記硬化剤が、ジアルキルパーオキサイド、ジフェニルパーオキサイド、ベンゾイルパーオキサイド、１，４−ジクロロベンゾイルパーオキサイド、２，４−ジクロロベンゾイルパーオキサイド、ジ−ｔ−ブチルパーオキサイド、ジクミルパーオキサイド、ｔ−ブチルパーベンゾエート、モノクロロベンゾイルパーオキサイド、ジ−ｔ−ブチルパーオキサイド、２，５−ビス−（ｔ−ブチル−パーオキシ）−２，５−ジメチルヘキサン、ｔ−ブチル−トリメチルパーオキサイド、ｔ−ブチル−ｔ−ブチル−ｔ−トリフェニルパーオキサイド、及びｔ−ブチルパーベンゾエートの群から選択される１つ又は複数の有機過酸化物であることを特徴とする請求項３１に記載のシリコーンゴム組成物の製造方法。
【請求項３３】
前記ポリマーが、不飽和基を含み、且つ前記硬化剤が、オルガノハイドロジェンシロキサンと組み合わせたヒドロシリル化反応触媒であることを特徴とする請求項３１に記載のシリコーンゴム組成物の製造方法。
【請求項３４】
前記オルガノハイドロジェンシロキサンが、１分子当たり４〜２０個のケイ素原子を含み且つ２５℃において１０Ｐａ・ｓまでの粘度を有することを特徴とする請求項３１に記載のシリコーンゴム組成物の製造方法。
【請求項３５】
前記ヒドロシリル化触媒が、白金触媒、ロジウム触媒、インジウム触媒、パラジウム触媒及びルテニウム触媒からなる群から選択される白金族金属ベースの触媒である請求項３１に記載のシリコーンゴム組成物の製造方法。